(57)【要約】【課題】安定して、確実に、容易な操作で、再現性を有した測定ができる膝伸展筋力測定装置を提供すること。【解決手段】センサー２と、センサー２の前部２ａに取着される索体３と、センサー２の後部２ｂに取着される捕捉具４と、三脚椅子５と、センサー２に設けられる表示器６とからなり、索体３を患者の足首に止着し、捕捉具４を三脚椅子５の後中脚７に掛止し、三脚椅子５に腰掛けた患者が膝を伸展しその動作に係る筋力を表示器６に表示させて膝の伸展筋力を測定することを特徴とする膝伸展筋力測定装置である。【選択図】図１
2008104775.tif 000002
【特許請求の範囲】
【請求項１】
センサー２と、センサー２の前部２ａに取着される索体３と、センサー２の後部２ｂに取着される捕捉具４と、三脚椅子５と、センサー２に設けられる表示器６とからなり、
索体３を患者の足首に止着し、捕捉具４を三脚椅子５の後中脚７に掛止し、三脚椅子５に腰掛けた患者が膝を伸展しその動作に係る筋力を表示器６に表示させて膝の伸展筋力を測定することを特徴とする膝伸展筋力測定装置。
【請求項２】
センサー２と、センサー２の前部２ａに取着される索体３と、センサー２の後部２ｂに取着される捕捉具４と、三脚椅子５と、センサー２に接続され該センサー２の検出信号を演算し加工し表示する演算記憶装置２１とからなり、演算記憶装置２１は、測定値を記憶し、画面３１にグラフ表示するものであり、
索体３を患者の足首に止着し、三脚椅子５の後中脚７に捕捉具４を掛止し、三脚椅子５に腰掛けた患者が膝を伸展しその動作に係る筋力を演算記憶装置２１に表示させて膝の伸展筋力を測定することを特徴とする膝伸展筋力測定装置。
【請求項３】
演算記憶装置２１には、個人メモリカード２５を差し込み該個人メモリカード２５に筋力測定値を記憶させる記録部２４が設けられることを特徴とする請求項２記載の膝伸展筋力測定装置。
【請求項４】
演算記憶装置２１に接続されるケーブル２３と、パソコン２２とが設けられ、パソコン２２は、患者毎の測定値を記録し、該測定値を、パソコン２２に予め記憶させた標準値と比較して評価を得、又、各患者が自分の過去の測定値と比較した評価を得ることを特徴とする請求項２記載の膝伸展筋力測定装置。
【請求項５】
センサー２と、センサー２の前部２ａに取着される索体３と、センサー２の後部２ｂに取着される捕捉具４と、本体２８ａの内側に円形凹部２８ｃと直角凹部２８ｂとを有するクランプ２８と、椅子４０と、椅子４０の下方又は下方且つ後方に設けられクランプ２８を掛止できるクランプ掛止体４１と、センサー２に接続され該センサー２の検出信号を演算し加工し表示する演算記憶装置２１とからなり、前記演算記憶装置２１は、測定値を記憶し、画面３１にグラフ表示するものであり、
クランプ掛止部４１にクランプ２８を掛止し、該クランプ２８に捕捉具４を掛止し、索体３の先部を椅子４０に腰掛けた患者の足首に止着し、該患者が膝を伸展しその動作に係る筋力を演算記憶装置２１に表示させて膝の伸展筋力を測定することを特徴とする膝伸展筋力測定装置。
【発明の詳細な説明】
【技術分野】
【０００１】
本発明は、人の膝の伸展に掛かる筋力を測定する膝伸展筋力測定装置に関する。
【背景技術】
【０００２】
従来の技術は、測定部と牽引シャフトと牽引用無端ベルトと押圧用ハンドルとからなる。
押圧ハンドルを検者が持ち、牽引用無端ベルトに腕を掛けた被検者が引いて腕の屈曲による筋力を測定する。
低価格、省スペースの効果がある。
【特許文献１】特開平９−５６７０４号
【発明の開示】
【発明が解決しようとする課題】
【０００３】
従来技術は、低価格、省スペースの効果がある。しかし、押圧用ハンドルが固定されていないので測定動作が不安定である。測定動作は検者の経験により巧拙が現われ、一定でなく、測定動作は容易でない。
【課題を解決するための手段】
【０００４】
本発明の目的は、安定して、確実に、容易な操作で、再現性を有した測定ができる膝伸展筋力測定装置を提供することにある。
即ち本発明は、センサー２と、センサー２の前部２ａに取着される索体３と、センサー２の後部２ｂに取着される捕捉具４と、三脚椅子５と、センサー２に設けられる表示器６とからなり、索体３を患者の足首に止着し、捕捉具４を三脚椅子５の後中脚７に掛止し、三脚椅子５に腰掛けた患者が膝を伸展しその動作に係る筋力を表示器６に表示させて膝の伸展筋力を測定することを特徴とする膝伸展筋力測定装置である。
或いは、センサー２と、センサー２の前部２ａに取着される索体３と、センサー２の後部２ｂに取着される捕捉具４と、三脚椅子５と、センサー２に接続され該センサー２の検出信号を演算し加工し表示する演算記憶装置２１とからなり、演算記憶装置２１は、測定値を記憶し、画面３１にグラフ表示するものであり、索体３を患者の足首に止着し、三脚椅子５の後中脚７に捕捉具４を掛止し、三脚椅子５に腰掛けた患者が膝を伸展しその動作に係る筋力を演算記憶装置２１に表示させて膝の伸展筋力を測定する。
又、演算記憶装置２１には、個人メモリカード２５を差し込み該個人メモリカード２５に筋力測定値を記憶させる記録部２４が設けられる。
更に、演算記憶装置２１に接続されるケーブル２３と、パソコン２２とが設けられ、パソコン２２は、患者毎の測定値を記録し、該測定値を、パソコン２２に予め記憶させた標準値と比較して評価を得、又、各患者が自分の過去の測定値と比較した評価を得る。
或いは、センサー２と、センサー２の前部２ａに取着される索体３と、センサー２の後部２ｂに取着される捕捉具４と、本体２８ａの内側に円形凹部２８ｃと直角凹部２８ｂとを有するクランプ２８と、椅子４０と、椅子４０の下方又は下方且つ後方に設けられクランプ２８を掛止できるクランプ掛止体４１と、センサー２に接続され該センサー２の検出信号を演算し加工し表示する演算記憶装置２１とからなり、前記演算記憶装置２１は、測定値を記憶し、画面３１にグラフ表示するものであり、クランプ掛止部４１にクランプ２８を掛止し、該クランプ２８に捕捉具４を掛止し、索体３の先部を椅子４０に腰掛けた患者の足首に止着し、該患者が膝を伸展しその動作に係る筋力を演算記憶装置２１に表示させて膝の伸展筋力を測定する。
【発明の効果】
【０００５】
本発明は、索体３の先部を患者の足首に止着し、三脚椅子５の後中脚７に捕捉具４を掛止し、三脚椅子５に腰掛けた患者が膝を伸展して伸展筋力を測定するものであるから、構成が簡単であり、安価に製作でき、又、準備作業が、捕捉具４を三脚椅子５の後部にあって左右方向の中央にある後中脚７の掛け環１５に掛止させるだけの容易な操作でよく、安全に安定した状態で、容易に測定でき、好都合である。
更に、三脚椅子５を用いれば、三脚椅子５の腰掛けた患者の下腿と後中脚７との間に、センサー２の占める空間が座部１６の下方に確保でき、好都合である。
又、三脚椅子５は、脚を必要な所へ最小限の数の３本だけ設けており、安価に、軽量に製作でき、好都合である。
【０００６】
本発明は、索体３の先部を患者の足首に止着し、三脚椅子５の後中脚７に捕捉具４を掛止し、三脚椅子５に腰掛けた患者が膝を伸展して伸展筋力を測定するものであるから、構成が簡単であり、安価に製作でき、好都合である。
又、膝伸展筋力の測定に係る準備作業が、捕捉具４を三脚椅子５の後中脚７に掛止させるだけの操作でよく、容易であり、好都合である。
又、演算記憶装置２１には測定値が記憶でき、該測定値が画面３１にリアルタイムにグラフで表示され、グラフから筋力の発現状況が分かり、測定及び診断上有利であり、好都合である。
【０００７】
本発明に係る演算記憶装置２１には、個人メモリカード２５を差し込みこれに測定値を追加記憶させる記録部２４が設けられる。
この構成によれば、患者が自分の個人メモリカード２５を持つので、個人メモリカード２５を適宜な読み出し器（図示省略）に入れて再現すれば、患者は医者に聞かなくても自分の膝伸展力が分かり、好都合である。
又、測定時に、個人メモリカード２５を記録部２４に入れると測定データが個人メモリカード２５に蓄積できる。医者は、測定データを患者別に仕分けしなくてよく手数が省け、又、個人メモリカード２５の操作が簡便であり、又、必要過去のデータとの比較が容易にでき、好都合である。
【０００８】
本発明は、演算記憶装置２１に接続されるケーブル２３と、パソコン２２とが設けられ、パソコン２２は、個人ごとの測定データを記録し、該測定データを、パソコン２２に予め記憶させた標準値と比較して評価を得、又、各個人が自己の過去のデータと比較して評価を得るものである。
この構成によれば、測定データを、ケーブル２３を接続してパソコン２２へ取り込み、自動的に個人別に蓄積でき、好都合である。
又、測定データを標準データと比較し、評価することが簡単にでき、好都合である。
【０００９】
本発明は、クランプ掛止部４１にクランプ２８を掛止し、該クランプ２８に捕捉具４を掛止し、索体３の先部を椅子４０に腰掛けた患者の足首に止着し、該患者が膝を伸展しその動作に係る筋力を演算記憶装置２１に表示させて膝の伸展筋力を測定するものである。
この構成によれば、既存の椅子４０のクランプ掛止体４１にクランプ２８を掛止して、これに捕捉具４を掛止して測定するものであり、クランプ２８はクランプ掛止体４１が円柱であっても角柱であっても確実に取り付けることができ、又、クランプ２８の掛け環１５に捕捉具４を容易に取り付けることができ、測定に係る準備が簡単であり、好都合である。
又、クランプを掛止できる椅子支柱部２７、背凭支柱部４３、その他の適宜フレームであるクランプ掛止部４１は、筋力運動装置によく存在するものであるから、クランプ２８とセンサー２等を用いた本発明は利用し易いものとなり、本発明の汎用性は高く、好都合である。
【発明を実施するための最良の形態】
【００１０】
安定して確実に再現性を有した測定ができ、容易な操作で測定できる膝伸展筋力測定装置を提供する目的を、
センサー２と、センサー２の前部２ａに取着される索体３と、センサー２の後部２ｂに取着される捕捉具４と、三脚椅子５と、センサー２に設けられる表示器６とからなり、索体３の先部を患者の足首に止着し、三脚椅子５の後中脚７に捕捉具４を掛止し、三脚椅子５に腰掛けた患者が膝を伸展して伸展筋力を測定するものとして、実現した。
【実施例１】
【００１１】
図１に本発明の膝伸展筋力測定装置１の実施例１を示す。
実施例１は、センサー２と、センサー２の前部２ａに取着される索体３と、センサー２の後部２ｂに取着される捕捉具４と、三脚椅子５と、センサー２に設けられる表示器６とからなる。
前記索体３の先部を患者の足首に止着し、三脚椅子５の後中脚７に捕捉具４を掛止し、三脚椅子５に腰掛けた患者が膝を伸展して伸展筋力を測定するものである。
【００１２】
センサー２は、引っ張り力をセンシングする歪みゲージ（図示省略）と、歪みゲージを保持する筐体８とからなる。筐体８の前部２ａ及び後部２ｂには前・後連結突起部９・１０が形成される。前連結突起部９には連結環１１が連結される。
【００１３】
表示器６はセンサー２の上部の見易い位置に設けられる。
表示器６は、センサー２の出力値を演算して得る筋力値を表示するものである。
【００１４】
索体３は、ベルト１２と、ベルト１２の途中に係止され足首に装着するアタッチメント１３と、ベルト１２の一端に設けられベルト１２の長さを調節するベルト固定金具１４とからなる。
ベルト１２の他端は、連結環１１に挿通した後、ベルト固定金具１４に挿通され、該ベルト固定金具１４に掛止され、当該ベルト長が決定される。
【００１５】
捕捉具４は、センサー２の後連結突起部１０に連結されており、センサー２を三脚椅子５の後中脚７の掛け環１５に掛止し又は掛止解除する部材である。
【００１６】
三脚椅子５は、座部１６と、前左脚１７と、前右脚１８と、逆Ｔ字形の後中脚７とからなる。
後中脚７の縦部分７ａは座部１６の下方後部にあって左右方向の中央に垂直向に設けられ、該縦部分７ａの中間の内側に前記掛け環１５が形成される。座部１６の裏面と後中脚７とに補強枠１９が架設される。
図１中、３３は面状テープ固定部である。
【００１７】
実施例１を用いて患者の膝の伸展筋力を測定する。その場合の準備は、先ず患者は三脚椅子５に腰掛ける。
次に、索体３のアタッチメント１３を患者の片足の足首に止着する。索体３を、センサー２の連結環１１に挿通する。
センサー２の捕捉具４を、三脚椅子５の後中脚７の掛け環１５に掛止する。
ベルト固定金具１４のレバー２０を押し、ベルト１２の長さを調節し固定する。
【００１８】
三脚椅子５に腰掛けた患者が、屈曲した膝を伸展し、測定を開始する。
伸展すると索体３が引っ張られ、索体３の張力がセンサー２に掛かり、当該センサー２が索体３の張力を検出する。
センサー２で検出した値を制御器（図示省略）で演算し筋力値に変換する。
筋力値の最大値を表示器６に数字表示し、施療者は表示器６の数値から、患者の膝の伸展筋力の最大値を測定する。
【実施例２】
【００１９】
図２、３に示す実施例２は、実施例１のセンサー２に、演算記憶装置２１とパソコン２２を接続したものである。
実施例２に係る演算記憶装置２１は、センサー２にセンサーケーブル３２で接続され、該センサー２の検出信号を演算し加工し表示するものである。
演算記憶装置２１は、三脚椅子５に腰掛けた患者が膝を伸展して得た伸展筋力に係る測定値を記憶すると共に、該測定値を画面３１にグラフ表示するものである。
【００２０】
前記演算記憶装置２１には、個人メモリカード２５を差し込みこれに測定値を追加記憶させる記録部２４が設けられる。
個人メモリカード２５は、患者毎に製作される電子データを記録するカードである。
【００２１】
パソコン２２は、演算記憶装置２１にケーブル２３で接続され、個人ごとに当該患者の筋力を評価し表示するものである。
即ち、パソコン２２は、個人ごとの測定データを記録し、該測定データを、パソコン２２に予め記憶させた所定の標準値と比較して評価し、その評価結果を表示するものである。
又、各患者が自己の過去のデータと比較して評価し、その評価結果を表示するものである。
【００２２】
実施例２を用いて筋力測定をする。
膝を伸展させた時の筋力値が、演算記憶装置２１に記録されると共に、該演算記憶装置２１に筋力値がＹ軸方向に時間がＸ軸にグラフ表示される。
【００２３】
演算記憶装置２１の記録部２４に個人メモリカード２５を差し込めば、該カード２５に今の測定値が追加記録される。
患者は個人メモリカード２５の記録データを再生する再生器（図示省略）に差し込めば、自己の膝伸展の筋力値が分かる。
【００２４】
パソコン２２に、予め作成した評価用の標準値を記録しておく。
測定した筋力値を標準値と比較し、該標準値に対する段階評価をし、その評価結果を表示する。
或いは、標準値を基に個人毎に設定した目標値に対する達成率を評価し、その評価値を表示する。
【００２５】
又、パソコン２２は各患者の過去のデータを記録している。
現在測定した筋力値と、患者自身の過去データとを比較して、該過去データに対する評価をし、患者の筋力運動の進展割合を算出し、その算出値を表示する。
患者は自己の筋力の程度を知ると共に、筋力運動の回復状況を知り筋力運動の成果を確認する。これらの評価は、診断の資料となり、更に、患者の運動意欲の亢進が期待できる。
図２中、３４はセンサーコネクターである。
【実施例３】
【００２６】
図４に示す実施例３は、実施例１の三脚椅子５を、椅子４０に代えたものである。
実施例３は、下肢伸展運動機（＝レッグエクステンション）３５の椅子４０（＝具体例では一本支柱椅子２６）の椅子支柱部２７に掛着・離脱できるクランプ２８が付加される。
一本支柱椅子２６の直後には、背凭支柱部４３に支持された背凭４２が設けられる。
【００２７】
クランプ２８は、Ｃ字形の本体２８ａと、本体２８ａの一方部外側にクランプ掛け環２９が形成され、本体２８ａの他方部にはクランプ調整ノブ３０が設けられる。
図４に示す前記本体２８ａの一方部内側には、椅子支柱部２７に確実に固定できるように、縦方向に直角凹部２８ｂが設けられる。
【００２８】
更に、円形凹部２８ｃも縦方向に設けられており、椅子支柱部２７が角柱であっても円柱であっても、その椅子支柱部２７にクランプ２８を確実に取り付けることができる。
クランプ２８を掛止するクランプ掛止体４１は、椅子支柱部２７、及び背凭支柱部４３、その他クランプ２８を掛止できるフレーム３６である。
【００２９】
筋力測定の準備作業に当っては、アタッチメント１３を患者足首に装着する。
次に、クランプ２８をクランプ掛止体４１に掛止する。
即ち、クランプ２８を一本支柱椅子２６の角柱でなる椅子支柱部２７に当てがい、クランプ調整ノブ３０を締め、クランプ２８を椅子支柱部２７に掛止固定する。
続いて、センサー２の後部２ｂに取着される捕捉具４をクランプ掛け環２９に掛ける。
【００３０】
一本支柱椅子２６に腰掛けた患者が、膝を伸展して、伸展筋力をセンサー２及び演算記憶装置２１で測定する。
前述の準備ではクランプ２８を椅子支柱部２７に掛止したが、他の準備例ではこのクランプ２８を背凭支柱部４３へ掛止してもよい。
【００３１】
図４中、３７はロール、３８は錘、３９はアームである。
又、実施例３は、前記下肢伸展運動機３５に限らず、下肢屈曲運動機、体幹伸展運動機、その他の運動機のクランプ掛止体４１に取り付けて下肢伸展筋力を測定することができる。
【産業上の利用可能性】
【００３２】
センサー２と、センサー２の前部２ａに取着される索体３と、センサー２の後部２ｂに取着される捕捉具４と、三脚椅子５と、センサー２に設けられる表示器６とからなり、索体３を患者の足首に止着し、捕捉具４を三脚椅子５の後中脚７に掛止し、三脚椅子５に腰掛けた患者が膝を伸展して伸展筋力を測定するものによって、安定して、確実に、容易な操作で、再現性を有した測定ができる膝伸展筋力測定装置に適用できる。
【図面の簡単な説明】
【００３３】
【図１】本発明の実施例１の斜視図である。
【図２】本発明の実施例２のセンサー等の部分図である。
【図３】本発明の実施例２の右側面である。
【図４】本発明の実施例３の椅子を示す斜視図である。
【符号の説明】
【００３４】
１  膝伸展筋力測定装置
２  センサー
２ａ前部
２ｂ後部
３  索体
４  捕捉具
５  三脚椅子
６  表示器
７  後中脚
２１  演算記憶装置
２２  パソコン
２３  ケーブル
２４  記録部
２５  個人メモリカード
２６  一本支柱椅子
２７  支柱部
２８  クランプ
２８ａ本体
２８ｂ直角凹部
２８ｃ円形凹部
３１  画面
４０  椅子
４１  クランプ掛止体
【図１】
2008104775.tif 000003
【図２】
2008104775.tif 000004
【図３】
2008104775.tif 000005
【図４】
2008104775.tif 000006